(57)【特許請求の範囲】
【請求項１】
ヘビーデューティ工業用ガスタービンの燃焼装置に用いるバーナであって、当該バーナが、
空気入口と燃料入口（２７，２８，２９）と環状混合通路（３）とを有していて、環状混合通路（３）で燃料と空気を混合して、燃焼器の反応区域に噴射するための一様な混合気を形成する燃料／空気予備混合器（２，３）であって、該燃料／空気予備混合器（２，３）が、流入する空気に旋回を加える複数の旋回翼（２３）を有するスウォズル集成体（２）を上記空気入口の下流側に有していて、上記旋回翼（２３）の各々が内部燃料流れ通路（２１，２２）を有しており、上記燃料入口（２７，２８，２９）から燃料が上記内部燃料流れ通路（２１，２２）に導入される、燃料／空気予備混合器（２，３）、及び
上記燃料／空気予備混合器（２，３）の空気入口に配置された入口流れ調製装置（１）であって、該入口流れ調製装置（１）が、環状部分（１５）を画成する円筒形の内壁（１３）と穿孔外壁（１２）とを有しているとともに、１以上の環状旋回翼（１４）を有しており、該穿孔外壁と環状旋回翼（１４）とが、入口流れ調整装置（１）の上記環状部分（１５）に流入する空気の半径方向及び円周方向の分布を調整する、入口流れ調整装置（１）
を有していることを特徴とするバーナ。
【請求項２】
前記内部燃料流れ通路（２１，２２）が、燃料計量孔（２４，２５）を介して天然ガス燃料を空気流の中に導入し、燃料計量孔（２４，２５）が旋回翼（２３）の壁を貫通している、請求項１記載のバーナ。
【請求項３】
前記旋回翼（２３）の各々が、１次燃料噴射孔（２４）及び２次燃料噴射孔（２５）にそれぞれ燃料を分配する１次燃料流れ通路（２１）及び２次燃料流れ通路（２２）を有する、請求項１記載のバーナ。
【請求項４】
空気入口と燃料入口（２７，２８，２９）と環状混合通路（３）とを有する燃料／空気予備混合器（２，３）、及び該燃料／空気予備混合器（２，３）の空気入口に配置されている入口流れ調整装置（１）を有する、ヘビーデューティ工業用ガスタービンの燃焼装置用のバーナで、燃料と空気を予備混合する方法であって、上記燃料／空気予備混合器（２，３）が、複数の旋回翼（２３）を有するスウォズル集成体（２）を上記空気入口の下流側に有していて、該旋回翼（２３）の各々が、１次燃料噴射孔（２４）及び２次燃料噴射孔（２５）にそれぞれ燃料を供給する１次燃料供給通路（２１）及び２次燃料供給通路（２２）を有しており、上記入口流れ調製装置（１）が、環状部分（１５）を画成する円筒形の内壁（１３）と穿孔外壁（１２）とを有しているとともに、１以上の環状旋回翼（１４）を有しており、当該方法が、
（イ）入口流れ調製装置（１）で、入口流れ調整装置（１）の上記環状部分（１５）に流入する空気の半径方向及び円周方向の分布を調整し、
（ロ）流入する空気に旋回を加え、
（ハ）１次燃料供給通路（２１）及び２次燃料供給通路（２２）を通る燃料の流れを独立に制御することによって、環状混合通路（３）で燃料と空気を、燃焼器の反応区域に噴射するための一様な混合気に混合する
工程を含む方法。
【発明の詳細な説明】
【０００１】
【技術分野】
本発明はヘビーデューティ工業用ガスタービン、特に、望ましくない空気汚染放出物を発生せずに、高い効率で運転することができる燃料／空気予備混合器を含む工業用ガスタービン用のバーナに関する。
【０００２】
【背景】
ガスタービンの製造業者は、現在、望ましくない空気汚染放出物を発生せずに、高い効率で運転される新しいガスタービンを作る研究開発計画に従事している。普通の炭化水素燃料を燃焼するガスタービンによって通常発生される主な空気汚染放出物は、窒素の酸化物、一酸化炭素及び未燃焼の炭化水素である。空気を吸込むエンジンの分子状窒素の酸化は、燃焼装置の反応区域に於ける高温ガスの最高温度によって大いに左右されることは周知である。窒素の酸化物（ＮＯｘ）を形成する化学反応速度は、温度の指数関数である。燃焼室高温ガスの温度が十分低いレベルに制御されれば、熱によるＮＯｘは発生されない。
【０００３】
熱機関の燃焼器の反応区域の温度を、熱によるＮＯｘが生成されるレベルより低く制御する好ましい１つの方法は、燃焼の前に、燃料及び空気を予備混合して過薄混合気を形成することである。過薄予備混合形燃焼器の反応区域内に存在する過剰空気の熱容量が、熱を吸収し、燃焼生成物の温度上昇を、熱によるＮＯｘが形成されないレベルまで下げる。
【０００４】
燃料及び空気の過薄予備混合気で動作する放出物の少ない乾式燃焼器には幾つかの問題がある。即ち、燃焼器の反応区域の外側にある燃焼器の予備混合部分の中には、燃焼及び空気の可燃混合気が存在する。予備混合部分には、炎が燃焼器の反応区域から予備混合部分に伝播するときに起る逆火、又は予備混合部分の燃料／空気混合気の停留時間及び温度が、点火器がなくても燃焼が開始されるのに十分であるときに起る自己点火により、燃焼が起る傾向がある。予備混合部分に於ける燃焼の結果は、放出物性能の劣化並びに／又は典型的には燃焼熱に耐えるように設計されていない予備混合部分の過熱並びに損傷である。従って、解決すべき問題は、予備混合器内での燃焼を生じさせる逆火又は自己点火を防止することである。
【０００５】
更に、所望の放出物性能を達成する為には、予備混合器を出て、燃焼器の反応区域に入る燃料と空気の混合気は非常に一様でなければならない。流れの場の中に、燃料／空気混合気の濃度が平均よりもかなり濃厚なであるような領域が存在すると、こういう領域に於ける燃焼生成物は平均より高い温度に達し、熱によるＮＯｘが形成される。この結果、温度及び停留時間の組合せ次第で、ＮＯｘ放出物の目標を満たさないことがある。流れの場の中に、燃料／空気混合気の濃度が平均よりもかなり過薄である領域があると、消炎が起ることがあり、炭化水素並びに／又は一酸化炭素を平衡レベルまで酸化することができない。この結果、一酸化炭素（ＣＯ）並びに／又は未燃焼の炭化水素（ＵＨＣ）放出物の目標を満たせないことがある。従って、解決すべきもう１つの問題は、予備混合器を出ていく燃料／空気混合気の濃度の分布が十分に一様であって、放出物性能の目標を満たすようにすることである。
【０００６】
更に、多くの用途でガスタービンに課せられる放出物性能の目標を満たす為には、燃料／空気混合気の濃度を、大抵の炭化水素燃料に対する過薄可燃性限界に近いレベルまで下げることが必要である。こうすると、放出物と共に炎伝播速度が低下する。その結果、過薄予備混合形燃焼器は、これよりもっと普通の拡散炎形燃焼器よりも安定性が劣る傾向があり、高レベルの燃焼による動圧活動が起る場合が多い。この高レベルの動圧活動は、疲労、逆火又は吹消しにより、燃焼器及びタービンのハードウエアの損傷というような悪い結果をもたらすことがある。従って、解決すべき更にもう１つの問題は、燃焼による動圧活動を許容し得る低いレベルまで制御することである。
【０００７】
放出物を減らす為の過薄予備混合形燃料噴射器が業界全体に互って普通に用いられており、２０年以上の間、ヘビーデューティ工業用ガスタービンで実施されている。このような装置の代表的な例が、リチャード・ボルコヴィッチ、ディヴィド・フォス、ダニエル・ポーパ、ウォーレン・ミック及びジェフリー・ロヴェットを発明者とし、本出願人に譲渡された１９９３年９月９日付けの米国特許第５、２５９、１８４号に記載されている。この装置は、ガスタービンの排気放出物を減らすという分野で、大きな進歩を達成した。蒸気又は水のような希釈剤の噴射を使わずに、従来の拡散炎形バーナに比べて、１桁又はそれ以上、窒素酸化物ＮＯｘ放出物の減少をより多く達成している。
【０００８】
しかし、こういう放出物性能の向上は、幾つかの問題を招くという犠牲を払ってのことである。特に、装置の予備混合部分内での逆火及び炎の保持の結果、放出物性能の劣化並びに／又は過熱によるハードウエアの損傷を招く。更に、燃焼による動圧活動のレベルの増大により、磨耗又は高サイクル疲労破損を招いて、燃焼装置の部品並びに／又はガスタービンのその他の部品の有効寿命を短くする。更に、高レベルの動圧活動、逆火又は吹消しを招くような状態を避ける為には、ガスタービンの動作の複雑さが高まり、並びに／又はガスタービンの動作の制約が必要である。
【０００９】
こういう問題がある他に、従来の過薄予備混合形の燃焼器は、燃料と空気の予備混合が完全に一様であれば起こり得る最大の放出物減少を達成していなかった。
放出物の少ない乾式の過薄予備混合形燃焼器で、燃焼による動圧活動の振幅を小さくする方法の一例が、スチーブンＨ・ブラックを発明者とし、本出願人に譲渡された１９９７年５月１８日付けの米国特許第５、２１１、００４号に見られる。本発明はこの従来の特許に記載された原理に基づき、それに積み重ねて、燃料／空気の半径方向の分布及び燃料噴射の圧力降下の両方を制御して、弱限界振動サイクルから生ずる増幅を最小限にし又はなくす。
【００１０】
【発明の開示】
本発明は、予備混合器の独特の特長により、上に述べたすべての問題分野で、従来と比べて性能の改善を達成するという点で、従来の改良である。
本発明の目的は、最も高級なヘビーデューティ工業用ガスタービンの高い点火温度で、現在の技術による低放出物乾式過薄予備混合形燃焼器の性能よりも優れたガスタービンの排気放出物性能を達成することである。特に、一酸化炭素（ＣＯ）又は未燃焼の炭化水素（ＵＨＣ）放出物性能を犠牲にすることなく、窒素酸化物（ＮＯｘ）放出物を最小限にする。本発明の別の目的は、ヘビーデューティ工業用ガスタービンについての現在の技術による低放出物乾式過薄混合形燃焼器に比べて、予備混合器内の逆火及び炎の保持に対する抵抗力を改善することである。本発明の更に別の目的は、ヘビーデューティ工業用ガスタービンについての現在の技術による低放出物乾式過薄混合形燃焼器に比べて、ガスタービンの動作範囲全体に互って燃焼による動圧活動のレベルを下げると共に過薄による吹消しの余裕を増加することである。
【００１１】
本発明の上記並びにその他の目的は、予備混合器の入口の上流側に配置された入口流れ調整装置（ＩＦＣ）を使うことによって実現される。ＩＦＣは予備混合器の中での空気流速の分布を改善し、これにより予備混合器を出ていく燃料／空気混合気の一様性を改善する。予備混合器は、予備混合気に接近する流れの場における空気流の不良分布にそれほど影響されないように作られ、また、入口流れ調整装置を使うことによって多重ノズル燃焼器のバーナ間での空気流の分布を更に均一にする。
【００１２】
更に、従来用いられていた普通の燃料噴射管、スポーク又は吹付けバーの代りに、予備混合器旋回装置内のエーロフォイル形旋回翼を通して燃料を噴射する。旋回翼の面から燃料を噴射することにより、流れの場の乱れが最小限になり、燃料／空気混合気の流れが予備混合器内で澱んだり再循環する領域が発生しなくなる。従来の燃料噴射器のもっと出っ張った、空気力学的でない特長に特有の流れの澱み並びに／又は再循環のこういう領域が、炎が予備混合器内に定着し得る場所を形成する。こういう領域をなくすことにより、炎が予備混合器の中に伝播したり、予備混合器内で燃焼が維持されるのが一層困難になる。
【００１３】
更に、空気力学的な旋回翼の面上の異なる場所で注入する２つ又は更に多くの独立に制御可能な燃料源を用いて、燃料／空気混合気の濃度の半径方向の分布が制御される。旋回装置上のハブから先端シュラウドまで混合気の相対的な濃度を制御することにより、燃焼器の全体的な理論混合比をタービン負荷に合せて変えるときに、動圧活動のレベル並びに過薄による吹消しの余裕を制御することができる。
【００１４】
本発明は、空気力学的な３つの設計上の革新を組合せて、天然ガス燃料を燃焼するヘビーデューティ工業用ガスタービンの燃焼装置に使う燃料／空気予備混合器として、燃料／空気混合気の一様性、耐逆火特性並びに燃焼による動圧活動の制御という面で、例外的な性能をもたらす燃料／空気予備混合器を作る。３つの空気力学的な設計上の革新は、（１）入口空気流の調整、（２）空気旋回装置（「スウォズル(swozzle) 」集成体）の翼を介しての燃料噴射、及び（３）半径方向の燃料／空気濃度分布のプロフィールの制御である。
【００１５】
入口流れ調整装置（ＩＦＣ）が、予備混合器へ流れる空気が通過しなければならない燃料／空気予備混合器旋回装置の入口に穿孔環状殻体を含む。この殻体の穿孔のパターンは、旋回装置の入口環状部分に半径方向にも円周方向にも、一様な空気の流れの分布が作られるように設計されている。入口流れ状態の圧力降下により、バーナの入口を取囲む高圧室に一様でない流れの場合が存在するときでも、所望の旋回装置の入口空気流の一様性を作ることができる。
【００１６】
スウォズル集成体は、ＩＦＣを介して入る空気の流れに対して旋回を加える一連の好ましくはエーロフォイル形の旋回翼を持っている。各々のエーロフォイルは内部燃料流れ通路を持ち、これらの通路は燃料計量孔を介して天然ガス燃料を空気流の中に導入する。これらの燃料計量孔はエーロフォイル形旋回翼の壁を通り抜ける。燃料をこのように噴射することにより、予備混合器全体に互って、空気力学的にきれいな流れの場が保たれる。従来普通であった燃料管又は吹付けバーのようなもっと出っ張った燃料噴射方法に関連する流れの澱み並びに／又は分離及び再循環が避けられ、これによって逆火及び炎の保持に対する予備混合器の抵抗力が改善される。
【００１７】
燃料を２つの別々の通路及び２組の噴射孔を介して噴射する目的は、燃料／空気混合気の濃度の分布を半径方向に制御する為である。通路の間で燃料の流れを色々に変えて分割することにより、タービン並びに燃焼器負荷が変化するとき、放出物、過薄による吹消し並びに燃焼による動圧活動を制御する為の最適の半径方向の濃度プロフィールが得られる。
【００１８】
スウォズルの下流側には、ハブとシュラウドの間に環状混合通路が形成される。燃料／空気の混合がこの通路内で完了し、非常に一様な混合気が燃焼の行われる燃焼器の反応区域内に噴射される。一様に過薄な混合気が、ＮＯｘが発生される局部的なホット・ゾーンを作らないから、放出物の発生は最小限に抑えられる。予備混合器の中心には、普通の拡散炎形燃料ノズルがあり、これは予備混合器からの混合気が過薄に成り過ぎて、燃焼できない低タービン負荷のときに使われる。
【００１９】
本発明の上記並びにその他の利点は、以下図面について本発明を詳しく説明するところから明らかになろう。
【００２０】
【発明を実施する最善の態様】
図１は本発明のバーナの断面図であり、図２及び３は旋回翼又はスウォズルを介して燃料噴射をする空気旋回集成体の細部を示す。実際には、バーナ集成体の中心に空気で噴霧化された液体燃料のノズルが取付けられて、２種燃料を使えるようにするが、この液体燃料ノズル集成体は本発明の一部分を構成するものではなく、図面を見易くする為に、省略されている。バーナ集成体が機能によって４つの領域に分割され、入口流れ調整装置１、天然ガス燃料を噴射する空気旋回集成体（スウォズル集成体と呼ぶ）２、環状燃料空気混合通路３及び中心拡散炎形天然ガス燃料ノズル集成体４を含む。
【００２１】
空気が高圧室６からバーナに入る。高圧室６は、燃焼器の反応区域５に入る吐出端を除いて、集成体全体を取囲んでいる。燃焼用の大部分の空気は、入口流れ調整装置（ＩＦＣ）１を介して予備混合器に入る。ＩＦＣが、内径のところで密実な円筒形内壁１３によって区切られた環状流れ通路１５、外径のところにある穿孔円筒形外壁１２、及び上流側の端にある穿孔端蓋１１を含む。流れ通路１５の中心には１つ又は更に多くの環状旋回翼１４がある。予備混合器の空気は、端蓋及び円筒形外壁の穿孔を介してＩＦＣ１に入る。
【００２２】
ＩＦＣ１の作用は、予備混合器に入るに当って、空気流速分布を整えることである。ＩＦＣ１の原理は、予備混合器に入る前の予備混合空気に背圧をかけるという考えに基づいている。これによって予備混合空気流の角度方向の分布が一層良くなる。穿孔付きの壁１１及び１２は装置に背圧を加えて、ＩＦＣ環状部分１５に沿って円周方向に流れを均一に分布させるという作用を果たし、これに対して、旋回翼１４は穿孔付きの壁と協働して、ＩＦＣ環状部分１５内に入ってくる空気の適正な半径方向の分布を作るように作用する。予備混合器内の所望の流れの分布並びに多重バーナ燃焼器に対する個別の予備混合器の間での流れの分布に応じて、旋回翼１４の軸方向の位置と共に、穿孔付きの壁に対する適当な孔パターンが選ばれる。穿孔付きの壁に対する適当な孔パターンを決定する為に、コンピュータ流体力学コードを使って流れの分布を計算する。この目的にとって適当なコンピュータ・プログラムは、ニューヨーク州ロングアイランド所在のアダプコ(Adapco)によるＳＴＡＲ−ＣＤと呼ばれるものである。
【００２３】
スウォズル２の入口にあるシュラウド壁２０２の近くでの低速領域をなくす為、朝顔形の口を持つ移行部２６をＩＦＣとスウォズルとの間に用いる。
ヘビーデューティ工業用ガスタービンの用途に於ける低放出物乾式多重バーナ燃焼装置の経験から、バーナを取囲む高圧室６には一様でない空気流分布が存在することが判っている。これは、バーナの間での一様でない空気流分布又は予備混合器の環状部分内での実質的な空気流の不良分布を招く惧れがある。この空気流の不良分布の結果は、燃焼器の反応区域に入る燃料空気混合気の濃度の不良分布になり、その結果、放出物性能の劣化を生ずる。ＩＦＣ１がバーナの間、並びに個別のバーナの予備混合器の環状部分内での空気流の分布の一様性を改善する程度に応じて、燃焼装置及びガスタービン全体の放出物性能が改善される。
【００２４】
燃焼空気がＩＦＣ１を出てから、スウォズル集成体２に入る。スウォズル集成体は、一連のエーロフォイル形旋回翼２３によって接続されたハブ２０１及びシュラウド２０２を含み、この旋回翼が予備混合器を通過する燃焼空気に旋回を加える。各々の旋回翼２３がエーロフォイルの芯部に、１次天然ガス燃料供給通路２１及び２次天然ガス燃料供給通路２２を持っている。これらの燃料通路が天然ガス燃料を、エーロフォイルの壁を通り抜ける１次ガス燃料噴射孔２４及び２次ガス燃料噴射孔２５に分配する。これらの燃料噴射孔は旋回翼２３の圧力側、吸込み側又はその両方の側に設けることができる。天然ガス燃料が、夫々１次及び２次旋回翼通路に供給する入口ポート２９及び環状通路２７、２８を介してスウォズル集成体２に入る。天然ガス燃料がスウォズル集成体内で燃焼空気と混合され始め、燃料／空気の混合が、スウォズル・ハブ延長部３１及びスウォズル・シュラウド延長部３２によって形成された環状通路３で完了する。その燃料／空気混合気は、環状通路３を出た後、燃焼器の反応区域５に入り、そこで燃焼が行われる。
【００２５】
スウォズル集成体２が天然ガス燃料を空気力学的な旋回翼（エーロフォイル）２３の面から噴射するので、空気の流れの場に対する乱れが最小限に抑えられる。この形状を使うと、空気流の中に燃料を噴射した後、予備混合器内に流れの澱み又は分離並びに／又は再循環の領域が全くできない。この形状では、２次流も最小限に抑えられ、その結果、燃料／空気の混合及び混合気の分布のプロフィールの制御が容易になる。流れの場は、燃料噴射領域から、燃焼器の反応区域５への予備混合気の吐出まで、空気力学的にきれいなま丶である。反応区域では、スウォズル２によって誘起された旋回が、流れの再循環と共に中心の渦を形成させる。これが反応区域５内の炎前線を安定化する。しかし、予備混合器内の速度が乱流性炎伝播速度よりも高い状態に留まる限り、炎が予備混合器内に伝播（逆火）することがなく、予備混合器内で流れの分離又は再循環がなければ、流れの反転を招く過渡状態があった場合でも、炎が予備混合器内に定着しない。スウォズル２が逆火及び炎の保持に抵抗する能力を持つことは、それを使う場合に非常に重要である。これは、こういう現象が発生すると、予備混合器が過熱し、その結果、損傷を招くからである。
【００２６】
図２及び３はスウォズルの形状の細部を示す。各々の旋回翼２３の面には天然ガス燃料噴射孔の２つの群がある。それらは１次燃料噴射孔２５である。燃料は、１次ガス通路２１及び２次ガス通路２２を介して、これらのガス燃料噴射孔２５に供給される。こういう２つの噴射通路を通る燃料の流れは独立に制御され、スウォズルのハブ２０１からスウォズルのシュラウド２０２までの半径方向の燃料／空気濃度分布のプロフィールの制御ができるようにしている。
【００２７】
半径方向燃料濃度プロフィールは、低放出物乾式過薄予備混合形燃焼器の性能を決定する上で重要な役割を果し、燃焼による動圧活動、放出物性能及びターンダウン能力に重要な影響を持つことが判っている。半径方向のプロフィールの制御は、燃料の発熱量（組成）並びに／又は供給温度の変化による天然ガス燃料容積流量の変動を補償する手段になる。この新しい燃料供給方式の別の利点は、２次燃料通路に対する負荷を拒絶することが可能であることである。これは、その結果起るハブが濃厚という形式により、全負荷燃料流量の一部分で燃焼を維持することができるからである。
【００２８】
バーナ集成体の中心には、溝孔形ガス・チップ４２を持つ普通の拡散炎形燃料ノズル４があり、このガス・チップが環状通路４１から燃焼空気を受取ると共に、ガス孔４３から天然ガス燃料を受取る。この燃料ノズルの本体が、このノズルと予備混合器の間の差別的な熱膨張を補償するベロー４４を持っている。この燃料ノズルは、点火の際、加速の際、及び予備混合器の混合気が薄過ぎて燃焼できない低負荷の場合に使われる。この拡散炎形燃料ノズルは、予備混合器に対するパイロット炎をも発生し、このような動作ができる範囲を拡げる。この拡散炎形燃料ノズルの中心に空所４５があり、これは液体燃料ノズル集成体を受入れるように設計されていて、２種燃料が使えるようにする。
【００２９】
本発明はある範囲の動作状態に互って最適の性能が得られるようにする燃料／空気の半径方向のプロフィールを直接的に積極的に制御する。更に本発明は、燃料装置の数を減らす助けとなり、こうして装置全体のコストを下げるのに役立つ新しい負荷拒絶方式の可能性を許す。
２つの独立に制御可能な流路によって予備混合器に燃料を供給することは、燃料／空気の半径方向のプロフィールを制御する他に、燃料噴射孔の前後の圧力降下を制御する手段になる。これによって、予備混合器内の圧力波に対する燃料噴射の応答を空気供給応答に合うように調節することができるので、動圧活動を制御する別の方法が得られる。燃料の発熱量並びに／又は温度の変動により、噴射器を通る燃料の容積流量を変えることが必要になったときでも、２つの流路の間での燃料の流量の分割を変えることによって、燃料噴射孔の合計の実効的な面積を調節することができるので、こういう能力が保たれる。この能力は、従来の典型である単一の固定面積燃料流路を持つ噴射器では利用することができない。予備混合器の燃料及び空気応答を圧力波に合うようにすることにより、弱限界振動サイクルから生ずる動圧の増幅を最小限に抑え又はなくすことができる。
【００３０】
本発明を最も実用的で好ましい実施例と現在考えられるものについて説明してきたが、本発明がここに開示した実施例に制限されるのではなく、寧ろ、特許請求の範囲に含まれる種々の変更及び同等の構成をカバーするものであることを承知されたい。
【図面の簡単な説明】
【図１】本発明によるバーナの断面図である。
【図２】本発明による予備混合器の空気旋回集成体又はスウォズル集成体を示す図である。
【図３】図２に示したスウォズル集成体の旋回翼の詳細図である。
【図１】
0004205231.tif 000002
【図２】
0004205231.tif 000003
【図３】
0004205231.tif 000004